(57)【要約】      （修正有）【課題】立設する棒状の商品の数が少なくなっても商品を整然と整列させて陳列させ易い段ボール箱を提供する。【解決手段】四角筒状に連結する二対の側壁９，１１と、この二対の側壁の各上辺から延び、内側への曲折により上蓋を構成する二対の上フラップと、二対の側壁の各底辺から延び、内側への曲折により底蓋を構成する二対の下フラップ１９等とを備えて段ボール箱１を構成する。収納物の陳列用ケースとして箱の下側部分を切離する切離手段と、上記下側部分の上縁に段差３３を形成する段差形成手段とを備え、この段差下部とこの段差下部に対向する側壁下端との距離が実質的に側壁高さ以下となる様に形成する。【選択図】図９
0003167685.tif 000002
【実用新案登録請求の範囲】
【請求項１】
四角筒状に連結する二対の側壁と、
この二対の側壁の各上辺から延び、内側への曲折により上蓋を構成する二対の上フラップと、
二対の側壁の各底辺から延び、内側への曲折により底蓋を構成する二対の下フラップと
を備える段ボール箱であって、
収納物の陳列用ケースとして箱の下側部分を切離する切離手段と、
上記下側部分の上縁に段差を形成する段差形成手段とを備え、
この段差下部とこの段差下部に対向する側壁下端との距離が実質的に側壁高さ以下であることを特徴とする段ボール箱。
【請求項２】
上記切離手段が、二対の側壁に略周方向に一本の線を構成する少なくとも一本の切断想定線を有し、
上記段差形成手段が、上記切断想定線上に形成された切断容易線を有する請求項１に記載の段ボール箱。
【請求項３】
上記切離手段が、
二対の側壁に略周方向に一本の線を構成する切断想定線と、
上記切断想定線の上方に配設されこの切断想定線と略平行な他の切断想定線と、
二対の側壁の裏面に上記一対の切断想定線間に付設されるカットテープと
を有する請求項１に記載の段ボール箱。
【請求項４】
上記切離手段が、
二対の側壁に略周方向に一本の線を構成する切断想定線と、
上記切断想定線の上方に配設されこの切断想定線と略平行な他の切断想定線と、
上記一の切断想定線から他の切断想定線に至るまで形成された切除開始用切断容易線と
を有し、
上記段差形成手段が、上記切断想定線上で上記切除開始用切断容易線に近接した位置に形成された切断容易線を有する請求項１に記載の段ボール箱。
【請求項５】
上記段差形成手段で形成される段差の側壁側辺からの距離が、この側壁側辺に隣接する側壁から延びる下フラップの延出長さと略等しい請求項１から請求項４のいずれか１項に記載の段ボール箱。
【請求項６】
上記段差形成手段で段差が形成される側壁に隣接する側壁から延びる下フラップが側壁下辺と平行な上方への折曲線を有し、
上記段差形成手段で形成される段差の側壁側辺からの距離が、この側壁側辺に隣接する側壁から延びる下フラップの折曲線までの延出長さと略等しい請求項１から請求項４のいずれか１項に記載の段ボール箱。
【考案の詳細な説明】
【技術分野】
【０００１】
本考案は、段ボール箱に関する。
【背景技術】
【０００２】
段ボール箱は、例えば多数の直方体の棒状の商品を立設した状態で包装する際に用いられる。この段ボール箱としては、四角筒状に連結する二対の側壁と、この二対の側壁の各上辺から延び、内側への曲折により上蓋を構成する二対の上フラップと、二対の側壁の各底辺から延び、内側への曲折により底蓋を構成する二対の下フラップとを備えている。そして、二対の側壁によって四角筒状にした後に下フラップによって底蓋を形成し、この有底筒状の中に商品を収納して、その後上フラップによって上蓋を形成することにより、商品を包装するのに用いられる。
【０００３】
また、この段ボール箱の四つの側壁に上下方向一定幅の切離帯が周方向に沿って設けられているものが公知であり、この切離帯を切除することによって、上側部分と下側部分とを切離可能に設けられたものが公知である。この切離帯を有する段ボール箱は、店舗等において切離帯が切除され、上側部分が下側部分から切離され、下側部分のみの段ボール箱内に多数の商品を立設させた状態で店内等において商品陳列用段ボール箱として用いられている。
【０００４】
しかし、上記商品陳列用段ボール箱にあっては、商品が購入されていくにつれて立設した商品の数が少なくなると、空きスペースが大きくなるため、立設する棒状の商品の周囲を支える他の商品が存在しなくなり、段ボール箱内の商品が乱雑に倒れた状態となる不都合を有している。このように乱雑に倒れた状態となると、購買者の購買意欲が殺がれるため、店舗においては深刻であった。
【０００５】
なお、上記のような商品陳列用段ボール箱としては、特開２００５−９６７９９号公報所載のものも公知であるが、この公報所載の段ボール箱であっても商品の数が少なくなると、棒状の商品は乱雑に倒れた状態となる問題を有する。
【先行技術文献】
【特許文献】
【０００６】
【特許文献１】特開２００５−９６７９９号公報
【考案の概要】
【考案が解決しようとする課題】
【０００７】
本考案はこれらの不都合に鑑みてなされたものであり、本考案は、立設する棒状の商品の数が少なくなっても商品を整然と整列させて陳列させ易い段ボール箱を提供することを目的とするものである。
【課題を解決するための手段】
【０００８】
上記課題を解決するためになされた考案は、
四角筒状に連結する二対の側壁と、
この二対の側壁の各上辺から延び、内側への曲折により上蓋を構成する二対の上フラップと、
二対の側壁の各底辺から延び、内側への曲折により底蓋を構成する二対の下フラップと
を備える段ボール箱であって、
収納物の陳列用ケースとして箱の下側部分を切離する切離手段と、
上記下側部分の上縁に段差を形成する段差形成手段とを備え、
この段差下部とこの段差下部に対向する側壁下端との距離が実質的に側壁高さ以下であることを特徴とする。
【０００９】
当該段ボール箱によって、多数の棒状の商品を立設した状態で包装した場合には、上側部分を下側部分から切離手段によって切離すると、下側部分内に多数の棒状の商品を立設させた状態とすることができ、この状態で商品陳列用段ボール箱として用いることができる。そして、段差形成手段によって段差が形成されるので、商品の数が少なくなり上記段差の位置まで空きスペースができた際には、一つの棒状の商品を、段差下部とこの段差下部に対向する側壁下端付近とを架け渡すよう倒して載置することで、この倒した商品によって立設する他の商品の転倒を防止することができる。つまり、上記のように段差下部において倒した商品は、段差によって係止されることにより、この商品がスペース側へスライドしにくく、そして、この商品によって他の商品がスペース側に転倒することを防止できる。さらに商品の数が少なくなった場合には、上記段差下部において倒した商品の横に添うように他の商品を倒して載置することにより、立設している残りの商品の転倒を防止することができる。
【００１０】
なお、当該段ボール箱において、「段差下部と段差下部に対向する側壁下端との距離が実質的に側壁高さ以下」とは、段差下部とこの段差下部に対向する側壁下端（以下、単に「対向下端」という場合がある）との距離が側壁高さより短い場合のほか、段差下部と対向下端との距離が側壁高さよりも厳密には長い場合であっても、上述のように段差下部において倒した商品が、段差のみならず上記対向下端付近の底蓋及び側壁にも当接するよう設けられている場合も含む。
【００１１】
当該段ボール箱にあっては、切離手段が、二対の側壁に略周方向に一本の線を構成する一本の切断想定線を有することが好ましい。これにより、この切断想定線に沿って二対の側壁を略周方向に切断することで、箱の下側部分を切離することができる。
【００１２】
この場合、段差形成手段は、上記切断想定線から下方に向けて形成された切断容易線から構成することも可能であるが、上記切断想定線上に形成された切断容易線を有することが好ましい。つまり、前者（切断想定線と別途段差形成手段の切断容易線を設けた場合）にあっては、切断想定線に沿って側壁を切断して箱の下側部分を切離した後に、段差形成手段の切断容易線に沿って側壁を切断することで段差を形成することになる。一方、後者（段差形成手段の切断容易線を切断想定線上に設けた場合）にあっては、切断想定線に沿って側壁を切断することで、箱の下側部分を切離すると同時に、上記段差を形成することができ、一度の作業で箱の下側部分の切離と段差形成とを行うことができるという利点を有する。
【００１３】
また、切離手段が、上記切断想定線を有する場合には、さらに上記切断想定線の上方に配設されこの切断想定線と略平行な他の切断想定線を有することが好ましい。このように上下一対の略平行な切断想定線を有することにより、箱の下側部分を切離する際に、一対の切断想定線の間の帯状部分を把持して引っ張りながら二対の側壁を周方向に切断することができる。
【００１４】
このように切離手段が一対の切断想定線を有する場合には、二対の側壁の裏面に一対の切断想定線間に付設されるカットテープをさらに有することが好ましい。これにより、二対の側壁を周方向に上記のように切断する際に、裏面側に付設されたカットテープによって確実に周方向に沿って切断することができる。
【００１５】
また、上記のように切離手段が一対の切断想定線を有する場合には、切離手段が、さらに上記一の切断想定線から他の切断想定線に至るまで形成された切除開始用切断容易線を有し、上記段差形成手段が、上記切断想定線上で上記切除開始用切断容易線に近接した位置に形成された切断容易線を有することが好ましい。これにより、切除開始用切断容易線の部分に指等を挿入することによって切離手段の切除を容易に開始することができる。そして、切除開始用切断容易線によって側壁の平面から外側に捲れた端部を指等で把持して、外側に引っ張ることにより、この切除開始用切断容易線に近接して設けられた段差形成手段の切断容易線に沿って側壁が切断されるため、この段差形成手段の切断容易線によって容易且つ確実に段差を形成することができる。なお、ここで「近接」とは、切除開始用切断容易線と段差形成手段の切断容易線とが同一の側壁に形成されるとともに、切除開始用切断容易線によって側壁の平面から外側に捲れた端部を指等で把持して外側に引っ張った際に、その引っ張った力が段差形成手段の切断容易線に作用するような距離以内であることを意味する。
【００１６】
当該段ボール箱にあっては、段差形成手段で形成される段差の側壁側辺からの距離が、この側壁側辺に隣接する側壁から延びる下フラップの延出長さと略等しい構成を採用することが好ましい。これにより、段差下部において倒した商品は、下フラップの端縁にも当接することになり、空きスペース側へのスライドがより的確に防止することができ、このため立設している商品の転倒をより確実に防止することができる。
【００１７】
また、当該段ボール箱にあっては、上記段差形成手段で段差が形成される側壁に隣接する側壁から延びる下フラップが側壁下辺と平行な上方への折曲線を有し、上記段差形成手段で形成される段差の側壁側辺からの距離が、この側壁側辺に隣接する側壁から延びる下フラップの折曲線までの延出長さと略等しい構成を採用することが好ましい。これにより、折曲線によって下フラップを上方に折り曲げておくことで、段差下部において倒した商品が、下フラップの折り曲げられた部分とも当接することになり、空きスペース側へのスライドがより的確に防止することができ、このため立設している商品の転倒をより確実に防止することができる。
【考案の効果】
【００１８】
以上説明したように、本考案の段ボール箱は、商品を包装する段ボール箱として利用できるとともに、そのまま下側部分に商品を立設して店舗等において陳列用段ボール箱としても有効に利用することができ、このように陳列した際に商品の数が少なくなっても、商品の転倒等を的確に防止することができ、整然と整列させて商品を陳列させることができる。
【図面の簡単な説明】
【００１９】
【図１】本考案の一実施形態である段ボール箱の封緘状態の斜視図である。
【図２】図１の段ボール箱の下側部分の斜視図である。
【図３】図１の段ボール箱の下側部分の平面図である。
【図４】図１の段ボール箱の下側部分の正面図である。
【図５】図１の段ボール箱の封緘状態の側面端面図である。
【図６】図１の段ボール箱の封緘状態の要部拡大正面図である。
【図７】図１の段ボール箱の組み立て前の正面図である。
【図８】図１の段ボール箱の開封状態の斜視図である。
【図９】図１の段ボール箱の使用状態の斜視図である。
【図１０】図１の段ボール箱の使用状態の斜視図である。
【図１１】本考案の他の実施形態である段ボール箱組み立て前の正面図である。
【図１２】図１１の段ボール箱の下側部分の平面図である。
【図１３】図１１の段ボール箱の使用状態の平面図である。
【考案を実施するための形態】
【００２０】
以下、適宜図面を参照しつつ、本考案の実施の形態を詳説する。
【００２１】
本実施形態の段ボール箱１は、封緘状態で直方体形状に形成されており、複数の直方体で棒状の商品Ａを立設して前後横方向それぞれに整列させて収容するためのものである。また、当該段ボール箱１は、均一な厚さの一枚の段ボール紙を用いて形成される。当該段ボール箱１のサイズとしては特に限定されず、内容物である商品Ａの大きさ等を考慮して適宜設定される。なお、段ボール箱１の内寸高さ（後述する側壁９、１１の高さ）は、商品Ａの長手方向長さと略同一に設けられている。また、段ボール箱１の内寸幅（後述する長手側壁９の幅方向の長さ）及び内寸奥行き（後述する短手側壁１１の幅方向の長さ）は、それぞれ商品Ａの幅及び奥行きの略整数倍に設けられている。
【００２２】
この段ボール箱１は、四角筒状に連結する二対の側壁９、１１と、この二対の側壁９、１１の各上辺から延び、内側への曲折により上蓋３を構成する二対の上フラップ１３、１７と、二対の側壁９、１１の各底辺から延び、内側への曲折により底蓋５を構成する二対の下フラップ１５、１９とから構成されている。この段ボール箱１は、組み立てられることにより、長方形状の上蓋３と、この上蓋３に対向する長方形状の底蓋５と、この上蓋３の周囲及び底蓋５を連結する四つの長方形状の側壁９、１１からなる四角筒状部７とを備えることになる。この四つの側壁９、１１は、上蓋３及び底蓋５の長辺において立設する同型及び同サイズの二つの長手方向の側壁９（以下、長手側壁ということがある）と、上蓋３及び底蓋５の短辺において立設する同型及び同サイズの二つの短手方向の側壁１１（以下、短手側壁ということがある）とから構成されている。この四つの側壁９、１１は、それぞれ等しい高さであり、収容する商品Ａの長手方向の長さと略同一の高さに設けられている。これらの側壁９、１１によって、直方体形状を有する四角筒状部７が形成される。なお、一対の長手側壁９のうち一方の長手側壁９は、直方体形状に組み立てる前において一対の側縁のうち短手側壁１１と接していない側の側縁に糊代部９ａを備えている（図７参照）。当該段ボール箱１は、この糊代部９ａを有することで、四角筒状部７を形成する際に、当該糊代部９ａを、短手側壁１１の側縁と長手側壁９の側縁とが接するように短手側壁１１の内面に接着させることによって、四角筒状部７を筒状に固定することができる。
【００２３】
また、二つの長手側壁９の上縁から延びた一対の上フラップ１３は、曲折された際に端縁同士が突き合わされるような延出長さを有する。また、二つの長手側壁９の下縁から延びた一対の下フラップ１５は、上フラップ１３の延出長さと同距離の延出長さを有し、これにより曲折された際に端縁同士が突き合わされる。また、二つの短手側壁１１の上縁から延びた一対の上フラップ１７は、上記長手側壁９から延びた上フラップ１３の延出長さと同距離の延出長さを有し、曲折された際に端縁同士が一定距離だけ離間し対向する。また、二つの短手側壁１１の下縁から延びた一対の下フラップ１９は、上記長手側壁９から延びた下フラップ１５の延出長さと同距離の延出長さを有し、曲折された際に端縁同士が一定距離だけ離間し対向する。当該段ボール箱１は、上述のように糊代部９ａを用いて四角筒状部７を筒状に固定した後、短手側壁１１から延びた下フラップ１９を四角筒状部７の内側に直角に曲折し、続けて長手側壁９から延びた下フラップ１５を四角筒状部７の内側に直角に曲折することで底蓋５を完成させることができる。この際、長手側壁９から延びた下用フラップ１５の端縁同士が突き合わされ、この突き合わせ部分から短手側壁１１の下部にかけて粘着テープを貼着することにより段ボール箱１の底蓋５が固定される。さらに、底蓋５が形成された当該段ボール箱１に直方体で棒状の複数の商品Ａを立設させて前後横方向それぞれに整列させて収容した後に、上フラップ１７を四角筒状部７の内側に直角に折り込み、続けて上フラップ１３を四角筒状部７の内側に直角に折り込むことで包装を完了することができる。
【００２４】
段ボール箱１を形成する段ボール紙としては、強度の高さ及び加工成形の容易さの観点から、波形に形成された中芯の表面側に積層される表ライナ及び裏面側に積層される裏ライナを備える両面段ボールが用いることができる。この際、縦方向の圧力に対して特に高い強度を有するように、中芯の波の尾根方向が四角筒状部７（側壁９、１１）の縦方向（高さ方向）となるように設計されることが好ましい。
【００２５】
上記四つの側壁９、１１には、収納物の陳列用ケースとして箱の下側部分を切離する切離手段が形成されている。この切離手段は、周方向に沿って側壁９、１１を切断可能な切離帯２１から構成されており、この切離帯２１を切除することにより、段ボール箱１が上側部分と下側部分１Ａとを切離可能に設けられている。
【００２６】
この切離帯２１は、側壁９、１１の上下方向略中央付近に設けられている。切離帯２１は、四つの側壁９、１１に略周方向に一本の線を構成する切断想定線を有する。ここで、切断想定線は上下一対設けられ、この上下一対の切断想定線に区画された帯状領域から上記切断帯は構成される。この一対の切断想定線上には、周方向部分的に形成される上下一対の切断容易線２３が形成されている。この一対の切断容易線２３は、周方向同一箇所に形成されており、具体的には、側壁９、１１の側辺付近には形成されておらず、側壁９、１１の中央位置に形成されている。
【００２７】
また、切離帯２１（切離手段）は、四つ側壁９、１１に略周方向に裏面側（内面側）かつ上記一対の切断容易線２３間に付設されるカットテープ２５を有している。このカットテープ２５（例えば粘着テープ）は、切離帯２１の形成範囲の全周に亘って連続して切離帯２１に付設（例えば貼着）されている。なお、上記切断容易線２３は、上記糊代部９ａの端縁にも形成され、これにより切離帯２１の切除に際して切離帯２１の切断部分が糊代部９ａに至った時に、糊代部９ａが切断されやすい。ここで、この切離帯２１に沿って設けられる切断容易線２３は、例えばミシン目等から構成することができる。
【００２８】
この切離帯２１の上側の切断容易線２３は、底蓋５と平行に設けられ、下側の切断容易線２３は、底蓋５と大部分において平行で一部において非平行に設けられている。具体的には、切離帯２１は、上下方向一定幅の本体部２７と、この本体部２７よりも下側の切断容易線２３が下方向に位置し幅広に設けられた幅広部２９とを有しており、この幅広部２９は長手側壁９に形成されている。本実施形態においては、この幅広部２３によって下側部分１Ａの上縁に段差３３を形成することになり、換言すれば、上記切離帯２１の下側の切断容易線２３によって本発明の段差形成手段が構成されている。なお、この幅広部２９は、一方の長手側壁９に形成されているが、双方の長手側壁９に形成することも可能である。
【００２９】
また、この幅広部２９は、図６に示すように、本体部２７から連続して下縁が下方側に傾斜した傾斜部２９ａと、この傾斜部２９ａから連続し底蓋５と平行な平行部２９ｂと、この平行部２９ｂから連続し本体部２７に連続するよう下縁が上方側に傾斜した傾斜部２９ａとを有する。なお、本実施形態においては、幅広部２９は、横方向に左右対称に設けられている。
【００３０】
上記傾斜部２９ａは、上記短辺側壁１１から延びた下フラップ１９の端縁１９ａに対応する位置に形成されている。具体的には、上記幅広部２９の傾斜部２９ｂにより形成される段差３３までの長辺側壁９側辺からの距離が、この長辺側壁９側辺に隣接する短辺側壁１１から延びる下フラップ１９の延出長さと略等しく設けられている。なお、本実施形態においては、傾斜部２９ａ下部（上記平行部２９ｂとの接点）が平面視下フラップ１９の端縁１９ａの延長線上に位置するよう設けられている。また、傾斜部２９ａにおける下側の切断容易線２３を、切込線（中芯及び表裏のライナが切断された線）から構成することができ、このように傾斜部２９ａに切込線を設けることにより、切離帯２１を切除する際に、この傾斜部２９ａにおいて、スムーズに幅広部２９の切除から本体部２７の切除に、及びスムーズに本体部２７の切除から幅広部２９の切除に、移行することができる。
【００３１】
なお、この幅広部２９の傾斜部２９ａ（段差３３）は、この幅広部２９が設けられた長辺側壁９の両側辺のうち傾斜部２９ａから遠い方の側辺までの距離が商品Ａの幅の略整数倍の位置に設けられている。換言すると、段ボール箱１の内寸幅は商品Ａの幅の略整数倍に設けられているので、幅広部２９の傾斜部２９ａは、近接する短辺側壁９の側辺までの距離が略整数倍に設けられている。また、同様に、本実施形態の短辺側壁１１底辺から延びた下フラップ１９は、その延出長さが商品Ａの幅の略整数倍に設けられている。さらに換言すると、段差３３が形成される側壁９の幅から、この側壁９に隣接する側壁１１のうち段差３３に近接する方の側壁１１底辺から延びた下フラップの延出長さを差し引いた距離が、商品Ａの略整数倍となるよう当該段ボール箱１は設けられている。
【００３２】
また、上記切離帯２１は、上記傾斜部２９ａ下部（段差３３下部）と、この傾斜部２９ａ下部に対向する側壁９、１１の下端（以下、対向下端という場合がある）との距離Ｌが、側壁９、１１高さＨ（切離前の側壁高さ）以下となるよう設けられている。つまり、傾斜部２９ａの下部と対向下端との距離が商品Ａの長手方向の長さよりも短くなり、商品Ａを傾斜部２９ａの下部と対向下端付近との間を架け渡すよう倒して載置できるよう設けられている。
【００３３】
さらに、上記切離帯２１の幅広部２９の平行部２９ｂに、切離帯２１の上縁から下縁にまで至る切除開始用切断容易線３１が形成されている。この切除開始用切断容易線３１は、幅広部２９の略中央に設けられ、上記傾斜部２９ａに近接して設けられている。また、この切除開始用切断容易線３１は、例えば上縁及び下縁に対して垂直な切込線（中芯及び表裏のライナが切断された線）から構成することができる。また、上記カットテープ２５は、この幅広部２９の切断容易線３１に対応する位置に両端部が設けられており、換言すれば、この幅広部２９の切断容易線３１付近でカットテープ２５の一端部が段ボール箱１の側壁９、１１の内面に付設され、他端部が幅広部２９の切断容易線３１付近まで来るよう段ボール箱１の側壁９、１１を周方向に沿って付設されている。なお、上記切断帯２１の上側及び下側の切断容易線２３は、上記幅広部２９の切断容易線３１と交わる部分付近において切込線から構成することが好ましく、これにより切離帯２１の切除に際して上記幅広部２９の切断容易線３１の部分に指を挿入しやすくなる利点を有する。
【００３４】
当該段ボール箱１は、上記構成からなるため、以下のように使用することができる。
【００３５】
複数の直方体で棒状の直方体形状の商品Ａが包装された段ボール箱１は、例えば商品製造工場から店舗等に搬送される。当該段ボール箱１は、切離帯２１の一対の切断容易線２３が、側壁９、１１の左右方向中央位置に設けられ、側壁９、１１の端縁付近には形成されていないので、段ボール箱１を持ち上げても、四角筒状部７のうち最も力の作用する角部（側壁９、１１の端縁部分）付近には切断容易線が存在していないため、搬送に際して不用意に側壁９、１１が破断することが防止されている。
【００３６】
また、店舗において切離帯２１を切除し、上側部分を下側部分１Ａから切離することによって、下側部分１Ａそのままで商品陳列用段ボール箱１として利用することができる。
【００３７】
この切離帯２１の切除に際しては、まず切離帯２１の幅広部２９に設けられた切除開始用切断容易線３１の部位に指を挿入して、この切除開始用切断容易線３１の部位から切離帯２１を容易且つ確実に切除することができる。特に、この切除開始用切断容易線３１は幅広部２９に設けられているので、指を挿入しやすく、切離帯２１の切除作業の開始が極めて簡便且つ確実に行い得る。
【００３８】
さらに、切離帯２１の切除に際しては、幅広部２９の切断された端部を把持して行い得るので、幅広部２９は本体部２７の幅よりも幅広であり、把持が容易且つ確実に行うことができ、このため切除作業を極めて簡便且つ確実に行い得る。また、切離帯２１の内面にはカットテープ２５が付設されているので、このカットテープ２５に沿って切離帯２１が極めて確実且つ容易に切除することができる。
【００３９】
また、上記のように切離帯２１を切除することにより、幅広部２９の傾斜部２９ａに対応する位置の下側部分１Ａの上縁には段差３３が形成されることになる。また、切除開始用切断容易線３１によって長辺側壁９の平面から外側に捲れた端部を指等で把持して外側に引っ張った際に、この切除開始用切断容易線３１に近接して設けられた傾斜部２９ａに沿って長辺側壁９が切断されるため、この傾斜部２９ａによって容易且つ確実に段差を形成することができる。特に、切除開始用切断容易線３１から傾斜部２９ａまで連続して切断容易線２３が形成されているので、傾斜部２９ａまでの切除がスムーズに行い得る。
【００４０】
そして、商品陳列用段ボール箱１として使用し、商品Ａの数が少なくなり傾斜部２９ａ（段差３３）の位置まで空きスペースＳができた際には、上記段差３３下部とこの段差３３下部に対向する側壁下端付近とを架け渡すよう一つの棒状の商品Ａを、倒して載置することで、この倒した商品Ａによって立設する他の商品Ａの転倒を防止することができる。また、上記段差３３が下フラップ１９の端縁１９ａに対応した位置に形成されているので、段差３３において倒した商品Ａが、下フラップ１９の端縁１９ａとも当接することになり、商品Ａが空きスペースＳ側へスライドすることをより的確に防止することができ、このため立設している商品Ａの転倒をより確実に防止することができる。また、段差３３は、この段差３３の設けられた長辺側壁９に隣接する短辺側壁１１のうち段差３３から遠い方の短辺側壁１１までの距離が商品Ａの幅の略整数倍の位置に設けられているので、上記のように段差３３において商品Ａを倒して使用した際に、この倒した商品ＡよりもスペースＳ反対側で商品Ａを隙間なく立設させることができ、商品Ａが乱雑に立設することを防止できる。
【００４１】
また、本実施形態においては幅広部２９が横方向に左右対称に設けられているので、二つの傾斜部２９ａから形成される段差３３を有効に利用することができ、二つの段差３３を使い分けることによって、商品Ａを右側に固めて陳列したり、左側に固めて陳列することが選択することができ、陳列方法を状況に応じて適宜選択することができる。
【００４２】
さらに商品Ａの数が少なくなった場合には、上記段差３３において倒した商品Ａの横に添うように他の商品Ａを倒して載置することにより、立設している残りの商品Ａの転倒を防止することができる。
【００４３】
なお、本実施形態の段ボール箱１は上記構成からなり、上述の利点を有するものであったが、本考案は、上記実施形態の構成に限定されるものではなく、種々設計変更可能である。
【００４４】
つまり、上記実施形態においては、段差３３を形成する手段（段差形成手段）として切離帯２１（その幅広部２９の下側の切断容易線２３）を用いたものについて説明したが、本考案は上記構成に限定されるものではなく、例えば段ボール箱の上側部分が切離された下側部分１Ａの上縁に対応する位置に、切断容易線によって切取可能な切取部を設けて、この切取部を切り取ることにより段差３３が形成されるよう設けることも可能である。但し、上記実施形態のように切離帯２１の切断容易線２３によって段差形成手段を構成することが好ましく、これにより切離帯２１の切除によって同時に段差３３を形成することができ、段差３３の形成手順が別途必要ではなくなるという利点を有する。
【００４５】
また、段差３３の形状も上記実施形態のものに限定されるものではなく、種々の段差を採用することができる。また、図１１、図１２及び図１３に示すように、商品Ａの大きさに対応した凹み部３５を形成し、この凹み部３５によって段差を構成することも可能である。
【００４６】
さらに、上記実施形態においては、棒状の商品Ａとして直方体形状のものを例にとり説明したが、商品形状はこれに限定されるものではなく、例えば円柱形状の棒状の商品Ａであっても対応することが可能である。
【００４７】
また、上記実施形態においては、段差３３を下フラップ１９の端縁１９ａに対応した位置に形成したものについて説明したが、本考案はこれに限定されるものではなく、段差３３の形成箇所は特に問わない。また、本考案においては、図１１、図１２及び図１３に示すように、上記段差形成手段で段差３３が形成される側壁９に隣接する側壁１１から延びる下フラップ１９が側壁１１下辺と平行な上方への折曲線３７を有する構成を採用することも可能である。つまり、図１１等に示す下フラップ１９には、下フラップ１９を上方に折り曲げるための折曲線３７を形成し、段差３３をこの折曲線３７に対応した位置に形成している。このように下フラップ１９に折曲線３７を設け、段差３３をこの折曲線３７に対応した位置に設けることにより、例えば円柱形状の棒状の商品であっても、この段差３３と折曲線３７を介して折り曲げた下フラップ１９の部分によって的確に転がることを防止でき、立設している残りの商品Ａの転倒をより的確に防止することができる。
【００４８】
なお、このように下フラップ１９に折曲線３７を設けた場合には、上記実施形態のように商品Ａの幅の整数倍の位置に対応して設けることが好ましい。具体的には、段差３３が形成される側壁９の幅から、上記下フラップ１９の折曲線３７までの延出長さを差し引いた距離が、商品Ａの略整数倍となるよう段ボール箱を設けることが好ましい。なお、円柱状の商品の場合には、商品の幅とは商品の直径を意味する。
【００４９】
また、上記実施形態においては、切断想定線上に各側壁９、１１に部分的な切断容易線２３を設けたものについて説明したが、この切断容易線２３は本考案の必須の構成要件ではない。つまり、例えば、一対の切断想定線の間にカットテープを付設しておくのみで、箱の下側部分を切離可能に設けたものも本考案の意図する範囲内である。但し、この場合にあっても、段差形成手段の切断容易線及び／又は切除開始用切断容易線を設けることが好ましく、これにより段差形成が容易且つ確実で、また切除作業の開始が容易且つ確実になる利点を有する。
【産業上の利用可能性】
【００５０】
以上説明したように、本考案の段ボール箱は、商品を包装する段ボール箱として利用できるとともに、そのまま下側部分に商品を立設しても商品を整然と整列させた状態で陳列することができ、店舗等において陳列用段ボール箱としても有効に利用できる。
【符号の説明】
【００５１】
１  段ボール箱
１Ａ  下側部分
３  上蓋
５  底蓋
７  四角筒状部
９  側壁（長手側壁）
９ａ  糊代部
１１  側壁（短手側壁）
１３  上フラップ
１５  下フラップ
１７  上フラップ
１９  下フラップ
１９ａ  端縁
２１  切離帯
２３  切断容易線
２５  カットテープ
２７  本体部
２９  幅広部
２９ａ  傾斜部
２９ｂ  平行部
３１  切断容易線
３３  段差
３５  凹み部
３７  折曲線
Ａ  商品
Ｌ  距離
Ｈ  高さ
Ｓ  スペース
【図１】
0003167685.tif 000003
【図２】
0003167685.tif 000004
【図３】
0003167685.tif 000005
【図４】
0003167685.tif 000006
【図５】
0003167685.tif 000007
【図６】
0003167685.tif 000008
【図７】
0003167685.tif 000009
【図８】
0003167685.tif 000010
【図９】
0003167685.tif 000011
【図１０】
0003167685.tif 000012
【図１１】
0003167685.tif 000013
【図１２】
0003167685.tif 000014
【図１３】
0003167685.tif 000015